(57)【要約】【課題】使用環境に応じて情報提供装置の動作を制御する。【解決手段】所定の情報を処理する処理部並びに処理後の情報を表示する表示部を有する情報提供装置２と、情報提供装置２に電源を供給する電源供給装置３とを有してなる情報提供システム１であって、電源供給装置３は、情報提供装置２が置かれている場所の情報を通知する情報通知部を有し、情報提供装置２は、電源供給装置３に載置されたときに、情報通知部から供給された情報を検知する検知部と、検知部で検知した情報に基づいて処理部の動作を制御する制御部を有する。【選択図】  図１
2004334322.tif 000002
【特許請求の範囲】
【請求項１】
所定の情報を処理する処理部並びに処理後の情報を表示する表示部を有する情報提供装置と、当該情報提供装置に電源を供給する電源供給装置とを有してなる情報提供システムであって、
上記電源供給装置は、
上記情報提供装置が置かれている場所の情報を通知する情報通知手段を有し、
上記情報提供装置は、
上記電源供給装置に載置されたときに、上記情報通知手段から供給された情報を検知する検知手段と、
上記検知手段で検知した情報に基づいて上記処理部の動作を制御する制御手段を有することを特徴とする情報提供システム。
【請求項２】
上記処理部は、所定の演算処理を行なう演算部を有するものであって、
上記制御手段は、上記検知手段を介して上記情報通知手段から供給された情報に基づいて上記演算部のクロック周波数を制御することを特徴とする請求項１記載の情報提供システム。
【請求項３】
上記情報提供装置は、上記演算部を冷却する冷却部を有し、
上記制御手段は、上記検知手段を介して上記情報通知手段から供給された情報に基づいて上記冷却部を駆動させることを特徴とする請求項２記載の情報提供システム。
【請求項４】
上記情報提供装置は、上記表示部の明るさを調整する明度調整手段を有し、
上記制御手段は、上記検知手段を介して上記情報通知手段から供給された情報に基づいて上記表示部の明度が所定の値になるように上記明度調整手段を制御することを特徴とする請求項１記載の情報提供システム。
【請求項５】
上記情報提供装置は、上記表示部に表示される文字サイズを調整する調整手段を有し、
上記制御手段は、上記検知手段を介して上記情報通知手段から供給された情報に基づいて上記表示部に表示される文字サイズが所定のサイズになるように上記調整手段を制御することを特徴とする請求項１記載の情報提供システム。
【請求項６】
上記情報提供装置は、外部機器とデータの入出力を行なうインターフェース部を有し、
上記制御手段は、上記検知手段を介して上記情報通知手段から供給された情報に基づいて上記インターフェース部を使用不可能にすることを特徴とする請求項１記載の情報提供システム。
【請求項７】
上記情報通知手段は、突起物が形成されてなり、
上記検知手段は、上記突起物の有無に基づいて検知信号を生成し、
上記制御手段は、上記検知信号に基づいて上記処理部の動作を制御することを特徴とする請求項１記載の情報提供システム。
【請求項８】
所定の情報を処理する処理部並びに処理後の情報を表示する表示部を有する情報提供装置と、当該情報提供装置に電源を供給する電源供給装置とを有してなる情報提供システムであって、
上記電源供給装置は、
上記情報提供装置に電源電圧を供給する電源電圧供給手段を有し、
上記情報提供装置は、
上記電源供給装置に載置されたときに、上記電源供給手段から供給された電源電圧に基づき所定の信号を検出する信号検出手段と、
上記信号検出手段の検出結果に応じて、上記処理部の動作を制御する制御手段とを有することを特徴とする情報提供システム。
【請求項９】
上記電源供給装置は、家庭用電源又は車両のオルタネータ（発電機）に接続されており、
上記信号検出手段は、上記電源供給手段から供給されてきた電源電圧の交流成分を検出することを特徴とする請求項８記載の情報提供システム。
【発明の詳細な説明】
【０００１】
【発明の属する技術分野】
本発明は、液晶等のディスプレイを備えた情報携帯通信端末と、当該情報携帯通信端末を固定するとともに、電源の供給を行なうクレードルに関するものである。
【０００２】
【従来の技術】
現在、様々な情報を提供するＰＤＡ（ｐｅｒｓｏｎａｌ  ｄｉｇｉｔａｌ  ａｓｓｉｓｔａｎｔ）等に代表される情報提供装置がある。この情報提供装置は、自由に持ち運べるようにバッテリーが内蔵されている。
【０００３】
しかし、情報提供装置は、バッテリーの容量に制限があるため、バッテリー駆動時においては、電力消費が高い操作（例えば、主電源の投入等）を頻繁に行なうと、バッテリー切れとなってしまい操作が不能となってしまう。そのため、情報提供装置を使用する場所に電源を供給する台座（クレードル）を設置し、当該クレードルに情報提供装置を取り付けて、使用する方法がある（特許文献１参照）。なお、クレードルは、視野角度の調整も行えるため、情報提供装置を見やすい角度に調整することが可能である。
【０００４】
【特許文献１】
特開２００２−１２５０２８号公報
【０００５】
【発明が解決しようとする課題】
例えば、クレードルを家庭内と車内に設置しておき、ユーザの必要に応じて情報提供装置を家庭内と車内で使用する場合、家庭内においては、クレードルを介して家庭用電源から電源が供給され、一方、車内においては、クレードルを介してオルタネータ（発電機）から電源が供給される。
【０００６】
ところで、車内における温度環境は、家庭内と違い季節若しくは時間帯によって大幅に変動する。例えば、真夏において、直射日光が照射されているダッシュボードでは、温度が７０〜８０℃以上に達することがある。もしも、クレードルがダッシュボード上に設置されており、そこに情報提供装置を取り付けて使用した場合には、情報提供装置は、直射日光による温度上昇に当該情報提供装置が発生する温度が加算される結果、高温での動作を強いられ、誤動作若しくは動作が停止するといった問題が生じることがある。
【０００７】
したがって、家庭内と車内とで情報提供装置の動作設定（例えば、ＣＰＵの処理速度、ディスプレイの明度及びファンの駆動等）を変更し、車内で使用する場合には当該情報提供装置が発生する温度を低下させる必要がある。また、家庭内で使用する場合と、車内で使用する場合とで、操作性の単純化等を図る必要もある。
【０００８】
そこで、本発明は、上述したような実情に鑑みて提案されたものであり、情報提供装置が置かれている場所を容易に検知し、その検知結果に応じて自動的に動作設定を変更する情報提供システムを提供することを目的とする。
【０００９】
【課題を解決するための手段】
本発明に係る情報提供システムは、上述の課題を解決するために、所定の情報を処理する処理部並びに処理後の情報を表示する表示部を有する情報提供装置と、当該情報提供装置に電源を供給する電源供給装置とを有してなる情報提供システムであって、上記電源供給装置は、上記情報提供装置が置かれている場所の情報を通知する情報通知手段を有し、上記情報提供装置は、上記電源供給装置に載置されたときに、上記情報通知手段から供給された情報を検知する検知手段と、上記検知手段で検知した情報に基づいて上記処理部の動作を制御する制御手段を有する。
【００１０】
また、本発明に係る情報提供システムは、上述の課題を解決するために、所定の情報を処理する処理部並びに処理後の情報を表示する表示部を有する情報提供装置と、当該情報提供装置に電源を供給する電源供給装置とを有してなる情報提供システムであって、上記電源供給装置は、上記情報提供装置に電源電圧を供給する電源電圧供給手段を有し、上記情報提供装置は、上記電源供給装置に載置されたときに、上記電源供給手段から供給された電源電圧に基づき所定の信号を検出する信号検出手段と、上記信号検出手段の検出結果に応じて、上記処理部の動作を制御する制御手段とを有する。
【００１１】
【発明の実施の形態】
以下、本発明の実施の形態について図面を参照しながら詳細に説明する。
【００１２】
本発明は、例えば図１に示すような情報提供システム１に適用される。情報提供装置２は、図１（Ａ）に示すように、クレードル３との接点部２０である、データの送受信を行なうデータ通信接点部２０ａと、電源が供給される電源接点部２０ｂと、当該情報提供装置２が置かれている場所の情報を検知する検知接点部２０ｃとを備え、クレードル３は、図１（Ｂ）に示すように、電源・信号用ケーブルＢを介して家庭用電源又は車両のオルタネータ（発電機）が接続されており、情報提供装置２との接点部３０である、電源を供給する電源接点部３０ａと、データの送受信を行なうデータ通信接点部３０ｂと、環境の情報を供給する検知接点部３０ｃとを備え、上面に載置する湾曲状の受け部を有している。情報提供システム１は、図１（Ｃ）に示すように、クレードル３の湾曲状の受け部に情報提供装置２が載置されてなる。
【００１３】
ここで、情報提供装置２の内部構造及び動作について以下に述べる。情報提供装置２は、図２に示すように、情報を表示する表示部１０と、外部から送信されるデータを受信するデータ受信部１１と、オーディオデータ、ビデオデータ及び地図データ等のデータが記憶されているストレージ部１２と、音声入力部１３と音声出力部１４が接続され、所定の処理を行なう情報処理部１５と、外部機器との間でデータの送受信を行なうＩ／Ｏ（Ｉｎｐｕｔ／Ｏｕｔｐｕｔ）部１６と、データを一時的に保持するメモリ部１７と、演算処理を行なうＣＰＵ（Ｃｅｎｔｒａｌ  Ｐｒｏｃｅｓｓｉｎｇ  Ｕｎｉｔ）部１８と、各部の動作を制御する動作制御部１９とがバスＡ上に接続されてなる。なお、ストレージ部１２に記憶されているデータは、Ｉ／Ｏ部１６を介して入力されてくるデータにより更新及び追加が行なわれる。
【００１４】
ここで、情報提供装置２の動作について図３に示すフローチャートを参照して説明する。
【００１５】
ステップＳ１において、図示しない遠隔操作部は、ユーザによる操作にしたがって所定のデータをデータ受信部１１に送信する。
【００１６】
ステップＳ２において、データ受信部１１は、受信されたデータをバスＡを介してＣＰＵ部１８に供給する。
【００１７】
ステップＳ３において、ＣＰＵ部１８は、ステップＳ２で供給されたデータに基づきストレージ部１２から所定のデータを読み出す。
【００１８】
ステップＳ４において、ＣＰＵ部１８は、ステップＳ３で読み出したデータをメモリ部１７に書き込む。なお、ＣＰＵ部１８は、メモリ部１７に書き込むデータの種類に応じて、当該ＣＰＵ部１８を介してメモリ部１７に書き込む場合と、当該ＣＰＵ部１８を介さないで直接メモリ部１７に書き込む場合がある。
【００１９】
ＣＰＵ部１８は、例えば、データ受信部１１から供給されたデータに基づき、ストレージ部１２から地図データを読み出し、読み出した地図データをメモリ部１７に書き込む。メモリ部１７に書き込まれた地図データは、表示部に表示される。また、ＣＰＵ部１８は、例えば、データ受信部１１から供給されたデータに基づき、ストレージ部１２からオーディオデータを読み出し、読み出したオーディオデータをメモリ部１７に書き込む。メモリ部１７に書き込まれたオーディオデータは、情報処理部１５に供給されて所定の処理が行なわれ、音声出力部１４から出力される。
【００２０】
このような情報提供装置２がクレードル３の湾曲状に設けられている受け部に載置されてなる情報提供システム１は、データ通信接点部２０ａとデータ通信接点部３０ａとが係合し、電源接点部２０ｂと電源接点部３０ｂが係合し、検知接点部２０ｃと検知接点部３０ｃが係合することにより情報提供装置２とクレードル３が機械的及び電気的に接続され、情報提供装置２とクレードル３との間でのデータの送受信や、情報提供装置２からクレードル３への電源供給及び情報提供装置３がクレードル２から場所の情報を受けることが可能となる。
【００２１】
ここで、情報提供装置２が置かれている場所を検知する第１の方法について図４に示すフローチャートにより説明する。なお、情報提供装置２は、ユーザの必要に応じて家庭内と車両内で使用するものとし、クレードル３がそれぞれ家庭内と車両内の所定の場所に配置されているものする。また、車両内に配置されているクレードル３は、検知接点部３０ｃが突起部により形成されており、家庭内に配置されているクレードル３は、検知接点部３０ｃが平坦、すなわち突起部が形成されていないものとする。
【００２２】
ステップＳ１０において、情報提供装置２は、クレードル３の受け部に載置される。情報提供装置２は、上述したように、クレードル３の受け部に載置されたときに電源接点部３０ａを介して電源が供給される。
【００２３】
ステップＳ１１において、情報提供装置２は、ユーザにより主電源がオンにされ、起動状態にされる。
【００２４】
ステップＳ１２において、情報提供装置２は、検知接点部２０ｃによりクレードル３の検知接点部３０ｃが突起部により形成されているかどうかを判断する。情報提供装置２は、図５に示すように、クレードル３の検知接点部３０ｃが突起部により形成されている場合（図５（Ａ））には、検知接点部２０ｃが当該突起部に押し込まれて検知接点がオフになる（図５（Ｂ））。一方、情報提供装置２は、クレードル３の検知接点部３０ｃが平坦になっている場合には、検知接点部２０ｃの検知接点はオンのままになる。
【００２５】
したがって、情報提供装置２は、検知接点部２０ｃにより検知接点部３０ｃに突起部が形成されていることを検出した場合には、当該情報提供装置２が置かれている場所は車両内であると判断し（ステップＳ１３）、また、検知接点部２０ｃにより検知接点部３０ｃが平坦である、すなわち突起部が形成されていないことを検出した場合には、当該情報提供装置２が置かれている場所は家庭内であると判断する（ステップＳ１４）。
【００２６】
情報提供装置２は、上述のようにしてクレードル３に載置されたときの検知接点部２０ｃの状態に基づき、当該情報提供装置２の置かれている場所を判断し、当該判断に基づき各部の動作を動作制御部１９により制御する。
【００２７】
当該情報提供装置２が置かれている場所が車両内である場合には、動作制御部１９は、当該情報提供装置２の内部温度を減少させるための制御を各部に対して行なう。例えば、動作制御部１９は、ＣＰＵ部１８のクロック周波数を減ずる制御を行なったり、ＣＰＵ部１８を冷却するためのファンを駆動させたり、表示部１０の明度を下げたり、Ｉ／Ｏ部１６へ電源電圧の供給を遮断し、Ｉ／Ｏ部１６を使用不能状態にする等の制御を行なう。
【００２８】
また、動作制御部１９は、当該情報提供装置２が置かれている場所に応じて、視認性及び操作性の向上を図っても良い。例えば、当該情報提供装置２が置かれている場所が車両内であれば、表示部１０に表示されているフォントサイズを大きくして視認性を向上したり、ストレージ部１２に記憶されている所定のデータを容易に読み出せるように操作性を単純化する。
【００２９】
つぎに、情報提供装置２が置かれている場所を検出する第２の方法について説明する。上述したようにクレードル３には、家庭用電源又は車両のオルタネータが接続されている。車両のオルタネータから供給される電源電圧は、家庭用電源とは異なり、エンジン回転時において、図６に示すように、中心電圧Ｖｃに対して大きな交流成分（ノイズ）が重畳されている。このノイズは、エンジンの回転数に応じてピークの周波数が遷移することにより生じるものである。本願に係る情報提供システム１では、このノイズを検出することにより情報提供装置２が車両内にあるのか家庭内にあるのかを判断する。
【００３０】
例えば、情報提供装置２は、図７に示すように、電源接点部２０ａを介して供給される電源電圧からノイズ成分を抽出し、当該ノイズ成分に応じて電源電圧の供給元を判定する電源電圧判定部４０を有する。電源電圧判定部４０は、電源接点部２０ａを介して供給される電源電圧の直流成分を除去し、交流成分を抽出する交流成分抽出部４１と、交流成分抽出部４１の出力信号を所定のレベルまで増幅する増幅部４２と、増幅部４２により増幅した信号から不要な周波数成分を除去するフィルタ部４３と、フィルタ部４３の出力信号をデジタル信号に変換する変換部４４と、メモリ部１７に接続されており、変換部４４によりデジタル化された信号の交流成分の周波数の分析を行なう分析部４５とを有する。
【００３１】
情報提供装置２では、クレードル３に載置され、電源接点部２０ａと電源接点部３０ａが係合され、クレードル３から供給されてくる電源電圧に基づき電源電圧判定部４０で所定の処理を行なうことにより、当該情報提供装置２の置かれている場所を判断し、当該判断に基づき各部の動作を動作制御部１９により制御する。
【００３２】
当該情報提供装置２が置かれている場所が車両内である場合には、動作制御部１９は、当該情報提供装置２の内部温度を減少させるための制御を各部に行なう。例えば、動作制御部１９は、ＣＰＵ部１８のクロック周波数を減ずる制御を行なったり、ＣＰＵ部１８を冷却するためのファンを駆動させたり、表示部１０の明度を下げたり、Ｉ／Ｏ部１６へ電源電圧の供給を遮断し、Ｉ／Ｏ部１６を使用不能状態にする等の制御を行なう。
【００３３】
また、動作制御部１９は、当該情報提供装置２が置かれている場所に応じて、視認性及び操作性の向上を図っても良い。例えば、当該情報提供装置２が置かれている場所が車両内であれば、表示部１０に表示されているフォントサイズを大きくして視認性を向上したり、ストレージ部１２に記憶されている所定のデータを容易に読み出せるように操作性を単純化する。
【００３４】
なお、オルタネータは、エンジンが回転している時と回転していない時とで発生するノイズ成分が異なる（エンジンが回転していない時にはノイズ成分の発生が減少する。）。したがって、情報提供装置２は、エンジンが回転していないときに、電源電圧判定部４０によるノイズ成分の抽出作業で家庭内電源から供給されたものと誤判断してしまうおそれがある。そこで、情報提供装置２は、エンジンが回転していないときに重畳される電源電圧のノイズ成分の特性を予めメモリ部１７に記憶させておき、電源電圧判定部４０の分析部４５でクレードル３から供給される電源電圧を分析する際に、当該メモリ部１７に記憶されているデータと比較照合することにより、オルタネータから供給されたものか、家庭用電源から供給されたものかを判断する構成にしても良い。
【００３５】
このように構成された情報提供システム１は、所定の情報を提供する情報提供装置２と、情報提供装置２に電源電圧を供給し、かつ接点部３０の検知接点部３０ｃが特殊な形状によりなるクレードル３とからなっており、クレードル３に設けられている湾曲状の受け部に情報提供装置２を載置したとき、情報提供装置２の接点部２０の検知接点部２０ｃとクレードル３の接点部３０の検知接点部３０ｃとが係合し、当該係合により生成される検知信号に基づき当該情報提供装置２が置かれている場所を自動的に認識し、当該認識に基づき動作制御部１９で情報提供装置２の各部の動作を制御するので、情報提供装置２の内部温度を所定の温度に調整することができる。
【００３６】
また、本発明に係る情報提供システム１は、所定の情報を提供する情報提供装置２と、情報提供装置２に電源電圧を供給するクレードル３からなっており、クレードル３に設けられている湾曲状の受け部に情報提供装置２を載置したとき、情報提供装置２の接点部２０の電源接点部２０ａとクレードル３の接点部３０の電源接点部３０ａとが係合し、当該係合によりクレードル３から供給される電源電圧の供給元を電源電圧判定部４０で判定し、当該判定に基づき当該情報提供装置２が置かれている場所を自動的に認識し、当該認識に基づき動作制御部１９で情報提供装置２の各部の動作を制御するので、情報提供装置２の内部温度を所定の温度に調整することができる。
【００３７】
【発明の効果】
以上詳細に説明したように、本発明に係る情報提供システムは、所定の情報を提供する情報提供装置と、情報提供装置に電源電圧を供給する電源供給装置からなり、電源供給装置に特殊な形状の突起物を形成し、電源供給装置に情報提供装置が載置されたときに、当該突起部を情報提供装置により検知し、当該検知に基づき当該情報提供装置が置かれている場所を自動的に認識し、当該認識に基づき情報提供装置の各部の動作を制御するので、当該情報提供装置を環境に応じて適切に動作させることができ、当該情報提供装置の寿命を延ばすことができ、さらに、情報提供装置の内部温度を所定の温度に調整するので、熱による誤動作等を回避することができる。また、本発明に係る情報提供システムは、情報提供装置により電源供給装置に形成されている突起物を検知し、当該検知に基づき当該情報提供装置が置かれている場所を自動的に認識し、当該認識に基づき視認性及び操作性の向上を図るように情報提供装置の各部の動作を制御することができる。
【００３８】
また、本発明に係る情報提供システムは、所定の情報を提供する情報提供装置と、情報提供装置に電源電圧を供給する電源供給装置からなり、電源供給装置から供給される電源電圧から所定の信号を抽出し、抽出した信号に基づき当該情報提供装置が置かれいている場所を自動的に認識し、当該認識に基づき情報提供装置の各部の動作を制御するので、当該情報提供装置を環境に応じて適切に動作させることができ、当該情報提供装置の寿命を延ばすことができ、さらに、情報提供装置の内部温度を所定の温度に調整するので、熱による誤動作等を回避することができる。また、本発明に係る情報提供システムは、情報提供装置により供給された電源電圧から所定の情報を抽出し、当該抽出した信号に基づき視認性及び操作性の向上を図るように情報提供装置の各部の動作を制御することができる。
【図面の簡単な説明】
【図１】本発明を適用した情報提供システムの構成を示す模式図である。
【図２】本発明を適用した情報提供システムの情報提供装置の構成を示すブロック図である。
【図３】図２に示す情報提供装置の動作について示すフローチャートである。
【図４】本発明に係る情報提供システムにより情報提供装置の置かれている場所を検知する方法について示すフローチャートである。
【図５】情報提供装置がクレードルに載置されたときに係合される検知接点部の様子を示す図である。
【図６】エンジン回転時におけるオルタネータから供給される電源電圧の波形を示す図である。
【図７】情報提供装置が備える電源電圧判定部４０の構造を示すブロック図である。
【符号の説明】
１  情報提供システム、２  情報提供装置、３  クレードル、１０  表示部、１１  データ受信部、１２  ストレージ部、１３  音声入力部、１４  音声出力部、１５  情報処理部、１６  Ｉ／Ｏ（Ｉｎｐｕｔ／Ｏｕｔｐｕｔ）部、１７  メモリ部、１８  ＣＰＵ（Ｃｅｎｔｒａｌ  Ｐｒｏｃｅｓｓｉｎｇ  Ｕｎｉｔ）部、１９  動作制御部、２０，３０  接点部、２０ａ，３０ａ  データ通信接点部、２０ｂ，３０ｂ  電源接点部、２０ｃ，３０ｃ  検知接点部、４０  電源電圧判定部、４１  交流成分抽出部、４２  増幅部、４３  フィルタ部、４４  変換部、４５  分析部
【図１】
2004334322.tif 000003
【図２】
2004334322.tif 000004
【図３】
2004334322.tif 000005
【図４】
2004334322.tif 000006
【図５】
2004334322.tif 000007
【図６】
2004334322.tif 000008
【図７】
2004334322.tif 000009